(57)【要約】【課題】チケット購入時に取得した情報に基づいて、紙やカードのチケットを記念品として必要とする顧客用に発行することや、アルバムなどの他記念品をオンデマンドプリントで提供する。【解決手段】  ユーザがオンデマンド製品の申し込みを通信回線を通じて行うためのユーザ端末と、その申し込みを受け付けた内容に応じた仕様のオンデマンド製品の製造依頼を通信回線を通じて行う販売サーバと、製造依頼を受けてその仕様のオンデマンド製品を製造する製造システムとを具備し、その製造システムは、仕様に基づいて印刷データを編集する編集手段と、仕様に基づく所定の印刷用紙に印刷データの印刷を行ない印刷物を得るオンデマンド印刷機と、仕様に基づく形態に印刷物を製品加工する製品加工手段とを具備する。【選択図】  図２
2011005652.tif 000002
【特許請求の範囲】
【請求項１】
ユーザがオンデマンド製品の申し込みを通信回線を通じて行うためのユーザ端末と、前記申し込みを受け付けるとともに、その受け付けた内容に応じた仕様のオンデマンド製品の製造依頼を通信回線を通じて行う販売サーバと、前記製造依頼を受け付けるとともに、前記仕様のオンデマンド製品を製造する製造システムとを具備するオンデマンドプリントサービスシステムであって、
前記製造システムは、前記仕様に基づいて印刷データを編集する編集手段と、前記仕様に基づく所定の印刷用紙に前記印刷データの印刷を行ない印刷物を得るオンデマンド印刷機と、前記仕様に基づく形態に前記印刷物を製品加工する製品加工手段とを具備することを特徴とするオンデマンドプリントサービスシステム。
【請求項２】
請求項１に記載のオンデマンドプリントサービスシステムにおいて、前記印刷用紙はホログラム加工、凹凸加工、透かし加工の内のすくなくとも１つが施されていることを特徴とするオンデマンドプリントサービスシステム。
【請求項３】
請求項１または２に記載のオンデマンドプリントサービスシステムにおいて、前記オンデマンド製品は記念チケットであって、前記編集手段はテーマパークのキャラクター、遊戯施設の内のすくなくとも１つとユーザの顔写真と、メッセージとを印刷データに編集することを特徴とするオンデマンドプリントサービスシステム。
【請求項４】
請求項３に記載のオンデマンドプリントサービスシステムにおいて、前記オンデマンド製品は記念チケットであって、前記編集手段による編集には前記写真等の画像の解像度を前記印刷データの解像度に自動で適合させる解像度変更と、ユーザの指定に対応する領域を抽出するトリミングとが含まれていることを特徴とするオンデマンドプリントサービスシステム。
【請求項５】
請求項３または４に記載のオンデマンドプリントサービスシステムにおいて、前記編集手段はユーザに適合するサービス、広告を印刷データに編集することを特徴とするオンデマンドプリントサービスシステム。
【請求項６】
請求項１または２に記載のオンデマンドプリントサービスシステムにおいて、前記オンデマンド製品はアルバムであって、前記受け付けた内容には、アルバムの種類とフレームの選択、写真のアップロードが含まれており、前記編集手段はアルバムの印刷データを編集することを特徴とするオンデマンドプリントサービスシステム。
【請求項７】
請求項６に記載のオンデマンドプリントサービスシステムにおいて、前記写真にはテーマパークのアトラクションにおける写真撮影サービスの写真が含まれていることを特徴とするオンデマンドプリントサービスシステム。
【発明の詳細な説明】
【技術分野】
【０００１】
本発明は利用者から要求があったときに小部数であっても印刷するオンデマンド印刷の技術分野に属する。特に、チケット購入時に取得した顧客（利用者）情報（顧客の要望を含む情報）に基づいて、工場にてオンデマンド印刷した記念印刷物を顧客に提供するオンデマンドプリントサービスシステムに関する。
【背景技術】
【０００２】
各種イベントへの参加や乗物への乗車・搭乗等の記念として適した記念チケットの印刷が可能な記念チケット印刷システム・印刷方法の発明が知られている（特許文献１）。
この発明の記念チケット印刷システムは、携帯端末からコンサート等のチケットの予約を受付可能な予約受付サーバと、予約受付サーバから携帯端末に送信されたデータに基づいてチケットの印刷を行なうプリント装置とを備えている。
そして、記念チケット印刷システムの予約受付サーバは、携帯端末からのコンサート等のイベント等のチケット予約を受付ける予約受付手段と、前記予約受付手段により、予約受付サーバがこの予約を受付けた際に、少なくとも購入チケット識別番号を含む電子チケットデータを携帯端末に送信する送信手段を備えている。
また、記念チケット印刷システムのプリント装置は、その電子チケットデータを携帯端末から受信した際に、予約受付サーバへ電子チケットデータを送信する手段と、この電子チケットデータを受信した予約受付サーバが、プリント装置から送信された電子チケットデータに対応付けられた文字データ及び／又は画像データを判別するデータ判別手段と、前記データ判別手段により判別された文字データ及び／又は画像データをプリント装置へと送信する手段と、前記送信する手段により送信されたデータを受信し、プリント装置の表示部に表示するデータ表示手段と、前記データ表示手段によりプリント装置の表示部に表示された文字データ及び／又は画像データと、携帯端末から赤外線データ送信された予め携帯端末の記憶部に記憶された電子チケットデータ以外の画像データ及び／又は文字データ、プリント装置のタッチパネル等の入力手段により入力された文字データ、プリント装置のタッチパネル等の入力手段により選択された画像データのうち、少なくともいずれか１つ、又は、これら任意の組み合わせにより編集を行なうデータ編集手段と、前記データ編集手段により編集されたデータを所定のシール用紙に印刷する印刷手段を備えている。
【先行技術文献】
【特許文献】
【０００３】
【特許文献１】特開２００５−１１０４１
【０００４】
この記念チケット印刷システムによれば、コンサートやスポーツ観戦等の各種イベントの入場券や鉄道や航空機の乗車券・搭乗券等の各種チケットを予約又は購入し、その予約番号データ又は電子チケットデータを自己の有する携帯電話機にて受信した利用者が、その予約番号データ又は電子チケットデータをプリント装置へ赤外線データ送信し、それらイベントへの参加や乗車・搭乗等の記念となる保存に適したオリジナル画像入りシール（記念チケット）を容易に印刷することが可能となる。
しかしながら、このような従来のオンデマンド印刷システムでは、購入者には味気のない、電子チケットまたは紙チケットを入手することしかできず、チケットを記念品として保管したいというニーズには応えることができないという問題がある。
【発明の概要】
【発明が解決しようとする課題】
【０００５】
本発明は上記の問題を解決するために成されたものである。その目的は、チケット購入時に取得した顧客（利用者）情報（顧客の要望を含む情報）に基づいて、紙やカードのチケットを記念品として必要とする顧客用に発行することや、アルバムなどの他記念品をオンデマンドプリントで提供することを可能とすることにある。
【課題を解決するための手段】
【０００６】
本発明の請求項１に係るオンデマンドプリントサービスシステムは、ユーザがオンデマンド製品の申し込みを通信回線を通じて行うためのユーザ端末と、前記申し込みを受け付けるとともに、その受け付けた内容に応じた仕様のオンデマンド製品の製造依頼を通信回線を通じて行う販売サーバと、前記製造依頼を受け付けるとともに、前記仕様のオンデマンド製品を製造する製造システムとを具備するオンデマンドプリントサービスシステムであって、前記製造システムは、前記仕様に基づいて印刷データを編集する編集手段と、前記仕様に基づく所定の印刷用紙に前記印刷データの印刷を行ない印刷物を得るオンデマンド印刷機と、前記仕様に基づく形態に前記印刷物を製品加工する製品加工手段とを具備するようにしたものである。
また、本発明の請求項２に係るオンデマンドプリントサービスシステムは、請求項１に係るオンデマンドプリントサービスシステムにおいて、前記印刷用紙はホログラム加工、凹凸加工、透かし加工の内のすくなくとも１つが施されているようにしたものである。
また、本発明の請求項３に係るオンデマンドプリントサービスシステムによれば、請求項１または２に係るオンデマンドプリントサービスシステムにおいて、前記オンデマンド製品は記念チケットであって、前記編集手段はテーマパークのキャラクター、遊戯施設の内のすくなくとも１つとユーザの顔写真と、メッセージとを印刷データに編集するようにしたものである。
また、本発明の請求項４に係るオンデマンドプリントサービスシステムは、請求項３に記載のオンデマンドプリントサービスシステムにおいて、前記オンデマンド製品は記念チケットであって、前記編集手段による編集には前記写真等の画像の解像度を前記印刷データの解像度に自動で適合させる解像度変更と、ユーザの指定に対応する領域を抽出するトリミングとが含まれているようにしたものである。
また、本発明の請求項５に係るオンデマンドプリントサービスシステムは、請求項３または４に係るオンデマンドプリントサービスシステムにおいて、前記編集手段はユーザに適合するサービス、広告を印刷データに編集するようにしたものである。
また、本発明の請求項６に係るオンデマンドプリントサービスシステムは、請求項１または２に係るオンデマンドプリントサービスシステムにおいて、前記オンデマンド製品はアルバムであって、前記受け付けた内容には、アルバムの種類とフレームの選択、写真のアップロードが含まれており、前記編集手段はアルバムの印刷データを編集するようにしたものである。
また、本発明の請求項７に係るオンデマンドプリントサービスシステムは、請求項６に係るオンデマンドプリントサービスシステムにおいて、前記写真にはテーマパークのアトラクションにおける写真撮影サービスの写真が含まれているようにしたものである。
【発明の効果】
【０００７】
本発明の請求項１に係るオンデマンドプリントサービスシステムによれば、ユーザがオンデマンド製品の申し込みを通信回線を通じて行うためのユーザ端末と、前記申し込みを受け付けるとともに、その受け付けた内容に応じた仕様のオンデマンド製品の製造依頼を通信回線を通じて行う販売サーバと、前記製造依頼を受け付けるとともに、前記仕様のオンデマンド製品を製造する製造システムとを具備するオンデマンドプリントサービスシステムであって、前記製造システムは、前記仕様に基づいて印刷データを編集する編集手段と、前記仕様に基づく所定の印刷用紙に前記印刷データの印刷を行ない印刷物を得るオンデマンド印刷機と、前記仕様に基づく形態に前記印刷物を製品加工する製品加工手段とを具備する。したがって、オンデマンド製品の購入時に取得したユーザ情報（ユーザの要望を含む情報）に基づいて、紙やカード（印刷用紙）のオンデマンド製品を記念品として必要とする顧客用に発行することをオンデマンド印刷で提供することができる。
また、本発明の請求項２に係るオンデマンドプリントサービスシステムによれば、請求項１に係るオンデマンドプリントサービスシステムにおいて、前記印刷用紙はホログラム加工、凹凸加工、透かし加工の内のすくなくとも１つが施されている。したがって、オンデマンド製品は、家庭用のプリンタや店頭に置かれたチケット提供システムでは不可能な、高品質で意匠性の高いものとすることができる。
また、本発明の請求項３に係るオンデマンドプリントサービスシステムによれば、請求項１に係るオンデマンドプリントサービスシステムにおいて、前記オンデマンド製品は記念チケットであって、前記編集手段はテーマパークのキャラクター、遊戯施設の内のすくなくとも１つとユーザの顔写真と、メッセージとを印刷データに編集する。したがって、オンデマンド製品として記念チケットが提供され、その記念チケットは面白みや記念品としての価値の高いものとすることができる。
また、本発明の請求項４に係るオンデマンドプリントサービスシステムによれば、請求項３に記載のオンデマンドプリントサービスシステムにおいて、前記オンデマンド製品は記念チケットであって、前記編集手段による編集には前記写真等の画像の解像度を前記印刷データの解像度に自動で適合させる解像度変更と、ユーザの指定に対応する領域を抽出するトリミングとが含まれている。したがって、前記写真等の画像のデータサイズが大きいこともあるが、そのときには解像度変更で自動調節できる。また、気に入った画像の一部だけを載せたいユーザの要望にトリミングで応えることができる。
また、本発明の請求項４に係るオンデマンドプリントサービスシステムによれば、請求項３に係るオンデマンドプリントサービスシステムにおいて、前記編集手段はユーザに適合するサービス、広告を印刷データに編集する。したがって、記念チケットは、その発行に対する付加価値を高めるものとすることができる。
また、本発明の請求項５に係るオンデマンドプリントサービスシステムによれば、請求項１または２に係るオンデマンドプリントサービスシステムにおいて、前記オンデマンド製品はアルバムであって、前記受け付けた内容には、アルバムの種類とフレームの選択、写真のアップロードが含まれており、前記編集手段はアルバムの印刷データを編集する。したがって、オンデマンド製品としてアルバムが提供され、そのアルバムは内容物の写真だけでなく形態もユーザの好みに合うものとすることができできる。
また、本発明の請求項６に係るオンデマンドプリントサービスシステムによれば、請求項５に係るオンデマンドプリントサービスシステムにおいて、前記写真にはテーマパークのアトラクションにおける写真撮影サービスの写真が含まれている。したがって、アルバムは面白みや記念品としての価値の高いものとすることができる。
【図面の簡単な説明】
【０００８】
【図１】本発明のオンデマンドプリントサービスシステムにおける構成の一例を示すブロック図である。
【図２】本発明のオンデマンドプリントサービスシステムにおける（Ａ）チケット購入時、（Ｂ）オンデマンド製品申込時、（Ｃ）チケット利用時のそれぞれにおける情報の流れの一例を示す説明図である。
【図３】本発明のオンデマンドプリントサービスシステムにおける記念チケット発行の流れの一例を示す説明図である。
【図４】本発明のオンデマンドプリントサービスシステムにおける記念チケットの一例を示す説明図である。
【発明を実施するための形態】
【０００９】
次に、本発明の実施の形態について図を参照しながら説明する。本発明のオンデマンドプリントサービスシステムにおける構成の一例を図１に示す。図１において、１はユーザ端末、２は販売サーバ、３は製造システム、３０は印刷用紙、３１は編集手段、３２はデータベース、３３はオンデマンド印刷機、３４は製本機、３５は封入封緘機、１００はチケット、２００はアルバムである。
ユーザ端末１はユーザがオンデマンド製品の申し込みを通信回線を通じて行うための端末（クライアントコンピュータシステム）である。ユーザ端末１は、図１に示すように、通信回線を通じて販売サーバ２に接続することができるパーソナルコンピュータ、携帯電話、専用端末、等である。
【００１０】
販売サーバ２は申し込みを受け付けるとともに、その受け付けた内容に応じた仕様のオンデマンド製品の製造依頼を通信回線を通じて行うサーバである。たとえば、販売サーバ２はウェブサーバとして、ユーザ端末１が備えているクライアントソフトウェアのブラウザに対して、販売元のホームページを表示する機能を有している。ユーザはユーザ端末１のブラウザを使用してそのホームページから会員登録画面、製品サンプル表示画面、製品仕様入力画面、発注処理画面、等へ進み、オンデマンド製品の申し込みを行うことができる。また、販売サーバ２はその申し込みを受け付けると、申し込まれたオンデマンド製品の種類（チケット、アルバム、等）、印刷内容（メッセージ、写真）、製品形態（印刷用紙、寸法、外観）、等の製品情報とともに、ユーザの氏名、オンデマンド製品の宛先、等の個人情報を取得する。販売サーバ２はそれらの製品情報と個人情報とを紐付けしてデータベース（販売サーバ２が管理するデータベース）に別々に保管する。そして、取得した製品情報に基づいてオンデマンド製品を製造するための仕様を生成する。さらに、販売サーバ２は製造システム３に対してその仕様のオンデマンド製品の製造依頼を通信回線を通じて行う。
【００１１】
製造システム３は製造依頼を受け付けるとともに、その仕様のオンデマンド製品を製造する。製造システム３はオンデマンド製品を自動で製造するシステムたとえばオンデマンド印刷加工装置であってもよく、複数の装置から構成され人間がある程度介在するシステムたとえば印刷会社の設備であってもよい。意匠性、注目性、訴求性、等の極めて高い製品を製造するときには、後者でオンデマンドで製造する体制を整えることによって好適な製造システムを実現することができる。
印刷用紙３０は仕様に基づく所定の印刷用紙である。通常の印刷用紙を使用することも可能であるが、ホログラム加工、凹凸加工、透かし加工の内のすくなくとも１つが施されている印刷用紙を使用すると意匠性の極めて高い製品を得ることができ好適である。印刷用紙３０はオンデマンド製品の形態に対応して複数種類があらかじめ用意されており、
【００１２】
編集手段３１は仕様に基づいて印刷データを編集する。仕様は使用するオブジェクト、そのレイアウト、使用する印刷用紙の種類、製品の形態、等のユーザが指定したデータによって構成される。編集手段３１は、その仕様に基づいて、オンデマンド印刷機３３に出力する印刷イメージそのもの、または印刷イメージに対応するデータとして印刷データを編集する。編集手段３１による編集にはユーザが指定した写真等の画像の解像度を印刷データの解像度に自動で適合させる解像度変更と、ユーザの指定に対応する領域を抽出するトリミングとが含まれている。
なお、印刷データにはオンデマンド印刷機３３、製本機３４、封入封緘機３５において印刷や、その他の加工を行なうときの製造管理情報が編集手段３１によって付加される。製造管理情報は、たとえば、バーコード、ＱＲコードとして印刷用紙に印刷が行なわれる。製本機３４、封入封緘機３５はそのコードを読取って制御を行う。
【００１３】
データベース３２は編集手段３１が仕様に基づいて印刷データを編集するときに利用するオブジェクト等のデータベースである。たとえば、オブジェクトとしては、テーマパークのキャラクター、遊戯施設、等の写真、イラスト、その他の文字絵柄が登録されている。
オンデマンド印刷機３３は仕様に基づく所定の印刷用紙に前記印刷データの印刷を行ない印刷物を得る。オンデマンド印刷機３３は小部数であっても要求に応じて即時に印刷を行う印刷機である。
製本機３４は仕様に基づく所定の形態に印刷物を製本してアルバム、冊子、帳票、折丁、等を得る。
封入封緘機３５はアルバム、冊子、帳票、折丁、等を封筒に封入し封緘する。
チケット１００はオンデマンド製品の１つであり、特別仕様のチケットたとえば記念チケットである。
アルバム２００はオンデマンド製品の１つであり、ユーザの要求に応える特別仕様のアルバムである。
【００１４】
以上、構成について説明した。次に、本発明のオンデマンドプリントサービスシステムにおける動作について説明する。本発明のオンデマンドプリントサービスシステムにおける動作の一例を説明図として図２に示す。図２（Ａ）はチケット購入時の説明図であり、図２（Ｂ）はオンデマンド製品申込時の説明図であり、図２（Ｃ）はチケット利用時の説明図である。
チケット購入時は、図１、図２（Ａ）に一例を示すように、まず、ユーザ（利用者）はユーザ端末１である携帯電話、パソコン（パーソナルコンピュータシステム）、専用端末、等のいずれかを使用し、そのユーザ端末１から通信回線たとえばインターネット等を通じて販売サーバに接続する（アクセスする）。たとえば、販売サーバ２はウェブサーバとしての機能を有するか、またはウェブサーバと連携している。そして、販売サーバ２はユーザ端末１が備えているクライアントソフトウェアのブラウザに対して、販売元のホームページを表示する。
【００１５】
次に、ユーザはユーザ端末１のブラウザを使用してそのホームページから会員登録画面を開き会員登録を行う。たとえば、氏名、ＩＤ、パスワード、メールアドレス、等を入力する。勿論、これは会員登録が済んでいない場合にだけ行う。販売サーバ２はその会員登録を受け付けて、そのユーザを顧客データベース（図示せず）に会員として登録する。
次に、チケット予約をするのであれば、ユーザはユーザ端末１においてチケット予約画面へ進みチケットの予約を行う。たとえば、チケットの種類を選択し、枚数を指定し、必要に応じてチケットを使用する日時、その他の指定を行う。
次に、販売サーバ２は指定された内容に問題たとえば記載漏れ、不整合、等がないかチェックを行い、問題がなければ発注処理（販売サーバ２から見れば受注処理）を行い、受注番号、チケット引換番号、等を生成する。販売サーバ２はその受注番号、チケット引換番号、等をユーザ端末１に送信する。また、販売サーバ２はそのチケット予約の情報（ユーザのＩＤ、チケットの種類／枚数、チケット引換番号、等）を受注データベース（図示せず）に登録する。
次に、チケットの受取は、購入するチケットが電子チケットに対応しているときには、電子チケットを販売サーバ２が生成し、ユーザはユーザ端末１においてその電子チケットの配送（配信）を受付ける。購入するチケットが電子チケットに対応してないときには、ユーザはチケットを配送により受取るか、またはチケット取扱店舗を訪れチケット引換番号を提示して受取る。
なお、チケット代の決済は予約時にクレジットカード等を使用するか、または店舗において代金を支払う、等により行われる。
【００１６】
本発明においては、チケットとしては電子チケット、普通チケット、記念チケットがあるが、電子チケットと普通チケットは、通常は、その一方だけ配送（配信）される。直ちに配信されるのは電子チケットだけであり、記念チケットは後日の配送となる。
本発明におけるチケットの配送方法としては、たとえば、（１）電子チケットまたは普通チケットだけをユーザ端末１、ユーザの自宅またはチケット取扱店舗に配送（配信）する、（２）普通チケットまたは電子チケットだけでなく、記念チケットを自宅またはチケット取扱店舗に配送する、の２つが存在する。（１）、（２）のいずれを行うかはユーザによる配送方法の指定による。チケット予約のときに同時に記念チケットを申込むことができる。また、（１）の場合においても、ユーザは後日、記念チケットを申込む（後日申込）ことができる。
【００１７】
チケット購入時についての説明を終え、次に、オンデマンド製品申込時について説明する。オンデマンド製品としては、図１、図２に示すように、たとえば記念チケット１００、アルバム２００、その他のプリント製品、記念品がある。まず、オンデマンド製品が記念チケットであるものとして説明する。記念チケットを発行するときの流れをフロー図として図３に示す。図３に示すステップＳ１（チケット予約）は前述のチケット予約の過程を示す。また、図３に示すステップＳ２（従来のチケット）は前述の普通チケットまたは電子チケットの配送（配信）の過程を示す。
記念チケット１００を申込むときには、すなわち図３のステップＳ３（記念チケット申し込み）において、ユーザはユーザ端末１において記念チケット画面に進み、記念チケットの製品サンプルを表示させ、製品サンプルを選択し、案内に従って記念チケットの仕様を入力する。そのとき、写真、メッセージ、等が含まれているときには、それらのデータをユーザ端末１から送信する。その内で写真等の画像をトリミング指定したいときには、ユーザはユーザ端末１においてトリミング指定を行うことができる。トリミング指定は、たとえば、写真等の画像においてマウス等により２点を指定する、たとえば始点（ｘ１，ｙ１）から終点（ｘ２，ｙ２）に指示ポイントをドラッグする。この指定により、（ｘ１，ｙ１）、（ｘ１，ｙ２）、（ｘ２，ｙ２）、（ｘ１，ｙ２）の４点を交点とする矩形領域がトリミング指定される。
次に、販売サーバ２はその記念チケット１００の仕様の入力を受け付けて、その記念チケット申込みの情報（ユーザのＩＤ、記念チケットの種類／枚数、記念チケットの仕様、等）を受注データベースに登録する。また、販売サーバ２は製造システム３に対してその受け付けた内容に応じた仕様の記念チケット１００の製造依頼を通信回線を通じて行う。すなわち図３のステップＳ４（発注）において販売サーバ２は製造システム３たとえば図３においては製造会社に対して製造依頼（発注）を行う。
【００１８】
オンデマンド製品申込時についての説明を終え、次に、チケット利用時について説明する。このチケット利用時にもオンデマンド製品を申込ことができ、その時に申し込むオンデマンド製品がアルバム２００であるものとして説明する。
アルバム２００を申込むときには、図２（Ｃ）に示すように、ユーザはユーザ端末１においてアルバム画面に進み、アルバムの製品サンプルを表示させ、製品サンプルを選択し、案内に従ってアルバム２００の仕様とアルバム２００に載せる写真を入力する。写真はユーザが撮影または用意した写真だけでなく、仕様の入力においてテーマパークのキャラクター、遊戯施設、アトラクションにおける写真撮影サービスの写真を含ませることができる。また、メッセージ、等が含まれているときには、それらのデータをユーザ端末１から入力する。また、写真等の画像をトリミング指定したいときには、前述の記念チケットのときと同様に、ユーザはユーザ端末１においてトリミング指定を行う。
次に、販売サーバ２はそのアルバム２００の仕様の入力を受け付けて、そのアルバム申込みの情報（ユーザのＩＤ、記念チケットの種類／枚数、記念チケットの仕様、等）を受注データベースに登録する。その受け付けた内容には、アルバムの種類とフレームの選択、写真のアップロード等が含まれている。また、販売サーバ２は製造システム３に対してその受け付けた内容に応じた仕様のアルバム２００の製造依頼を通信回線を通じて行う。すなわち図３のステップＳ４（発注）において販売サーバ２は製造システム３たとえば図３においては製造会社に対して製造依頼（発注）を行う。
【００１９】
次に、記念チケット１００、アルバム２００、等のオンデマンド製品の製造依頼を受けた製造システムについて説明する。製造システム３は、図１に示す一例においては、編集手段３１、データベース３２、オンデマンド印刷機３３、等を有する。
編集手段３１は販売サーバ２からの製造依頼を通信回線を通じて受け付ける。編集手段３１は製造依頼を受けた記念切手の仕様に基づいて印刷データを編集する。そのとき、テーマパークのキャラクター、遊戯施設、アトラクションにおける写真撮影サービスの写真、ライブのボーカリスト、キャンペーンマーク、ロゴ、地紋、等のオブジェクトが含まれているときには編集手段３１はデータベース３２等から、それらのデータをダウンロードして編集において使用する。また、編集手段３１はそれらのデータ（写真等の画像）の解像度を印刷データの解像度に自動で適合させる解像度変更と、ユーザの指定に対応する領域を抽出するトリミングとを行う。これにより、写真等の画像の解像度のデータサイズが大きいこともあるが、そのときには解像度変更で自動調節できる。また、気に入った画像の一部だけを載せたいユーザの要望にトリミングで応えることができる。
そして、編集手段３１は印刷データをオンデマンド印刷機３３に送信する。このとき、１枚の記念チケットを単位とするのではなく、複数枚の記念チケットをレイアウト（面付け）した印刷データとすることができる。
【００２０】
オンデマンド印刷機３３は印刷データを受信し用紙３０に印刷を行い記念チケットを得る。印刷直後の記念チケットは枚葉紙に記念チケットの１枚〜複数枚をレイアウトしたものとして得ることができる。また、連続用紙に記念チケットの複数枚をレイアウトしたものとして得ることができる。
また、オンデマンド印刷機３３は記念チケットを配送するときの宛先（住所、氏名）、記念チケット申し込みの礼状、利用案内、等を記載した宛先印刷物を印刷する。通常、記念チケットとは別の用紙を使用する。この宛先印刷物の印刷データも編集手段３１が生成する。
製本機３４はオンデマンド製品が冊子、帳票、折丁の形態となるような製品のときに使用する。たとえば、オンデマンド製品がアルバムのときには製本機３４は必須である。また、記念チケットにおいても、複数枚で一組となるようなときには、その一組を冊子に製本して一綴りの記念チケットとすることができる。
封入封緘機３５は上記の宛先印刷物とともにアルバム、冊子、帳票、折丁、等を丁合して封筒に封入し封緘する。すなわち、封入封緘機３５は記念チケットを配送可能な形態に加工する。
【００２１】
封入封緘された記念チケットの入った封筒（封書）は、図３のステップＳ５（自宅送付）において、ユーザの自宅に配送される。あるいは、封入封緘された記念チケットの入った封筒（封書）は、図３のステップＳ６（入場時・代理店送付）において、チケット売場またはチケット取扱店舗（代理店）に配送される。そして、図３のステップＳ７（入場時・代理店受取）において、ユーザは記念チケットをチケット売場またはチケット取扱店舗（代理店）を訪れて受取る。
【００２２】
次に、オンデマンド製品の構成について一例を説明する。本発明のオンデマンドプリントサービスシステムにおける記念チケットの一例を説明図として図４に示す。図４（Ａ）は記念チケットの表面を示し、図４（Ｂ）は記念チケットの裏面を示す。
図４（Ａ）における上側の記念チケットの表面には、「○◎園  入場証」という文字列と、「×年×月×日有効」という文字列と、「大日本  花子様」という文字列と、「祝・結婚１周年！  今日はいっぱい遊ぼう  大日本  太郎より」という文字列（メッセージ）が印刷されている。図４（Ａ）における下側の記念チケットの表面には、「初デートもここだったよね  なんだか懐かしいね  大日本  花子より」という文字列（メッセージ）が印刷されている。上記の文字列（メッセージ）は記念チケットを申込むときにユーザが入力したメッセージである。
図４（Ａ）における下側の記念チケットの表面には、「レディースプラン  飲食料１０％ＯＦＦ  只今おみやげコーナー  かわいいぬいぐるみ  盛りだくさん！」という文字列（メッセージ）と、「マッサージ無料  △広場にて力自慢大会！  カッコいい所を  パートナーに見せよう！」という文字列（メッセージ）と、「次回入場料半額」という文字列が印刷されている。上記の文字列（メッセージ）は、編集手段３１がユーザに適合するサービス、広告を印刷データに編集したメッセージである。
【００２３】
また、図４（Ａ）における記念チケットの表面は上記の文字列とともに、通常チケットとは相違する特徴的な構成を有する。記念チケットは、図４（Ａ）に一例を示すように、ユーザがユーザ端末１において入力した写真を入れる、テーマパークのキャラクター画像等と合成する、印刷の上からホログラム加工する、等の加工が行われている。
また、記念チケットは、図４（Ａ）、図４（Ｂ）に一例を示すように、用紙３０として「特殊紙」が使用される。ここで特殊紙とは、上質紙などの「一般紙」に対比して用いられる用紙のことである。特に、多品種小ロット生産の高付加価値製品で、オンデマンド製品にのみ使う紙で、記念チケット１００、アルバム２００、等の用途によってそれぞれ適合した性質を付与された用紙である。また、ホログラム加工、凹凸加工、透かし加工、等が施されているか、そのような加工を後加工として行なう場合に適合する用紙のことである。
【産業上の利用可能性】
【００２４】
チケット購入時に取得した情報に基づいて、紙やカードのチケットを記念品として必要とする顧客用に発行することや、アルバムなどの他記念品をオンデマンドプリントで提供するサービス、等において利用可能である。
【符号の説明】
【００２５】
１  ユーザ端末
２  販売サーバ
３  製造システム
３０  印刷用紙
３１  編集手段
３２  データベース
３３  オンデマンド印刷機
３４  製本機
３５  封入封緘機
１００  チケット
２００  アルバム
【図１】
2011005652.tif 000003
【図２】
2011005652.tif 000004
【図３】
2011005652.tif 000005
【図４】
2011005652.tif 000006
【手続補正書】
【提出日】平成21年7月25日(2009.7.25)
【手続補正１】
【補正対象書類名】明細書
【補正対象項目名】００１１
【補正方法】変更
【補正の内容】
【００１１】
製造システム３は製造依頼を受け付けるとともに、その仕様のオンデマンド製品を製造する。製造システム３はオンデマンド製品を自動で製造するシステムたとえばオンデマンド印刷加工装置であってもよく、複数の装置から構成され人間がある程度介在するシステムたとえば印刷会社の設備であってもよい。意匠性、注目性、訴求性、等の極めて高い製品を製造するときには、後者でオンデマンドで製造する体制を整えることによって好適な製造システムを実現することができる。
印刷用紙３０は仕様に基づく所定の印刷用紙である。通常の印刷用紙を使用することも可能であるが、ホログラム加工、凹凸加工、透かし加工の内のすくなくとも１つが施されている印刷用紙を使用すると意匠性の極めて高い製品を得ることができ好適である。印刷用紙３０はオンデマンド製品の形態に対応して複数種類があらかじめ用意されており、仕様に応じて適宜選択される。
【手続補正書】
【提出日】平成21年7月25日(2009.7.25)
【手続補正１】
【補正対象書類名】明細書
【補正対象項目名】００１１
【補正方法】変更
【補正の内容】
【００１１】
製造システム３は製造依頼を受け付けるとともに、その仕様のオンデマンド製品を製造する。製造システム３はオンデマンド製品を自動で製造するシステムたとえばオンデマンド印刷加工装置であってもよく、複数の装置から構成され人間がある程度介在するシステムたとえば印刷会社の設備であってもよい。意匠性、注目性、訴求性、等の極めて高い製品を製造するときには、後者でオンデマンドで製造する体制を整えることによって好適な製造システムを実現することができる。
印刷用紙３０は仕様に基づく所定の印刷用紙である。通常の印刷用紙を使用することも可能であるが、ホログラム加工、凹凸加工、透かし加工の内のすくなくとも１つが施されている印刷用紙を使用すると意匠性の極めて高い製品を得ることができ好適である。印刷用紙３０はオンデマンド製品の形態に対応して複数種類があらかじめ用意されており、仕様に応じて適宜選択される。